(57)【要約】      （修正有）【課題】簡単に食材とご飯を分けておけるようにし、食材からでる湯汁などを集中して本体の凸溝の中に集め、ご飯が食材の汁にふれなくてもよい特長を有する積上げ可能式の弁当箱を提供する。【解決手段】本考案の本体１構造内は四片の壁片１０２を底が狭く、開口が広い円錐状に構造としているので、凸溝１０１も底が狭く、開口が広い構造特長になっており、食材を置く時には開口が広いので、簡単に、安定して置くことができる。また、凸溝１０１の深度は比較的深く、食材が凹溝１０１の外に滑り落ちることが発生しない。【選択図】図１
0003190750.tif 000002
【実用新案登録請求の範囲】
【請求項１】
本体、上蓋、下蓋からなる積上げ可能式弁当箱の構造改良であって、
本体は円錐状とされ、該円錐状は、四辺の片より底が狭い、開口が広い形状とされ、該円錐状の中部に形成される凹溝は、底が狭い、開口が広い円錐状の形状とされ、該凹溝の壁片の高さが比較的高いことにより、該凹溝は比較的深くされ、該壁片の各方面には一つの耳掛け片が粘着固定され、該耳掛け片は二つの耳部を有し、該耳部は該壁片の上に粘着され、該耳部に連結している所に円弧孔が設けられ、該円弧孔は外部に向かって一枚の片体が外部に向かって延長されて設けられ、
本体の耳掛け片にある片体を外側に折り上げ、或いは広げ、該片体を下に設けたもう一つの本体の凹溝の開口端部に掛け、耳掛けの円弧孔を該もう一つ本体の凹溝の開口端部に掛け、上方の本体を下の本体の凹溝の上方にかけ、
多くの本体を積上げる時には、上記のステップを繰り返すことを特徴とする積上げ可能式弁当箱の構造改良。
【請求項２】
請求項１記載の積上げ可能式弁当箱の構造改良において、本体の壁片の一箇所に相対する出っ張りに一体化された形状の耳掛け凹片を有し、該耳掛け凹片の中央には一つの片体を有し、片体の両側の下に各一つの円弧孔を有することを特徴とする積上げ可能式弁当箱の構造改良。
【請求項３】
請求項２記載の積上げ可能式弁当箱において、本体の耳掛け凹片を折り曲げて、貼り付け形を形成し、耳掛け凸片を外側に折り曲げ、折り曲げた後の耳掛凸片の折り曲げ箇所がその他の開口端部と揃うようにして、壁片の上に粘着し、耳掛け凸片の片体は開いた、宙ぶらり状態とされ、壁片の上に粘着固定せず、本体の耳掛け片を折り曲げて、接着して形つくることを特徴とする積上げ可能式弁当箱の構造改良。
【請求項４】
請求項３記載の積上げ可能式弁当箱において、耳掛け片の折り曲げ、粘着による形つくることは、加工機械による自動加工より行うことを特徴とする積上げ可能式弁当箱の構造改良。
【考案の詳細な説明】
【技術分野】
【０００１】
本考案は主に積上げ可能式弁当箱の構造改良に関する。特に弁当箱の中に一つ以上の本体があり、その本体の壁面が下蓋の開口端部に引っ掛けることができる場合、本体は簡単に下蓋の凹溝の上の適切な場所にぶら下げることができ、食材とご飯を分別することができます。食事をとる人は容易に、便利にどの本体を取ればいいか分かるので、独特且つ経済効果のある考案である。
【背景技術】
【０００２】
図９、１０を参照頂きたい。一般的に使用されている弁当箱７は一体化されている。片方に上蓋７０２があり、食材８とご飯９の盛り合わせ区７０１がある。その盛り合わせ区７０１は統一してご飯９の後に置き、ご飯９の上に食材８を置く。このような構造でも使用上では下記の欠点がある。
【０００３】
１．従来の弁当箱７の構造は食材８とご飯９を混ぜ合わせて盛り合わせ区７０１に置かれる為、ご飯９が食材８の汁に接触してしまう。
【０００４】
２．食材８とご飯９とが混ぜて盛り合わせ区７０１の中に置かれている為、食事を摂る方が食用時、常に食材８をとり分けてから、必要の食材８をとらなければいけないので、食材８が多い場合は食材８を置く十分な空間が無い場合、常に食材８を移さなければならなく、食事を摂る方にとっては不便で面倒なことになる。
【０００５】
３．食材８とご飯９を混ぜ合わせて盛り合わせ区７０１に置いている為、食事を摂る時に食材８の種類が多い場合、食材８を上蓋７０２の平面箇所７０２１に置く習慣がある。しかし、上蓋７０２の平面箇所７０２１の上に置いた場合、上蓋７０２の周辺の平体７０２２は固定の状態でない為、食材８が非常に弁当箱の外に滑り落ちる可能性が大きく、食材の汚染、浪費と衛生問題が発生する。
【０００６】
４．弁当箱７は食材８とご飯９を混ぜ合わせて盛り合わせ区７０１に置いている為、多種類の異なる食材８を置かなければいけない場合に、別のプラスチック袋或いはペーパーボックスにいれなければいけなくなり、食用或いは運送時に不便と面倒さが増してしまう。
【考案の概要】
【考案が解決しようとする課題】
【０００７】
構造上、そして使用上に上記の多数欠点がある為、本考案者はこれらの問題に対し、時間をかけて、多数の意見を集め、長年の経験を応用して本考案を完成した。また、前代未聞の進歩及び実用性を実現した。本考案より解決した問題点及び技術は下記の通りである。
【課題を解決するための手段】
【０００８】
１．図１及び図２を参照頂きたい。本考案は弁当箱９の中に一体化１の構造となっている。当該本体１の構造は食材８を専用に置く場所がある。また、耳掛け片４の構造がある為、簡単に食材８とご飯９を分けて置くことができ、食材８より出来た汁などを集中して本体１の凹溝１０１に集めることができ、ご飯９が食材８の汁にふれなくてよい特長があり、使用上による欠点を解決した。
【０００９】
２．図１及び図２を参照頂きたい。本考案の本体１の構造は食材８を本体１の凹溝１０１の中に置くことができる。本体１の凹溝は開放で区別なく、且つ底が狭く、口が広い円錐状の構造になっている為、空間が広く大きく、食材８も置きやすい。これにより、食材８を置く空間が比較的大きく、食材８を選ぶにも便利である。これより使用上の欠点を解決した。
【００１０】
３．図１を参照頂きたい。本考案の本体１構造内は四片の壁片１０２を底が狭く、開口が広い円錐状に構造としているので、凸溝１０１も底が狭く、開口が広い構造特長になっており、食材８を置く時には開口が広いので、簡単に、安定して置くことができる。また、凸溝１０１の深度は比較的深く、食材８が凹溝１０１の外に滑り落ちることが発生しない。これより使用上の欠点を解決した。
【００１１】
４．図５を参照頂きたい。食材８の種類が多い場合、必要となる本体１を取り出し、各本体１の上の耳掛け４を利用すれば、簡単に異なる食材８を違う本体１に分けて置くことができる。そして最後に各本体１を全部一つに重ねることができる。これより使用上の欠点を解決した。
【考案の効果】
【００１２】
本考案は、簡単に食材とご飯を分けておけるようにし、食材からでる湯汁などを集中して本体の凸溝の中に集め、ご飯が食材の汁にふれなくてもよい特長を有する積上げ可能式の弁当箱の構造改良を提供することができる。
【００１３】
本考案は、第二には、単独に食材を置ける本体が耳掛け片の構造により、本体が簡単に下蓋の開口の端部に置ける積上げ可能式の弁当箱の構造改良を提供することができる。
【００１４】
本考案は、第三には、食材を置く分別層が耳掛け片の構造により、且つ掛けた後に掛けられている側の端部が耳掛け片の円形穴に掛けられるようになっている。これによれば、安定に掛けることができ、両手の親指と人差し指で耳掛け片の片体を引けば、使用者は簡単に食材が置いてある本体と下蓋を分けることができ、使用者の不注意により、食材の汁にふれることを防ぐことが出来る積上げ可能式の弁当箱の構造改良を提供することができる。
【図面の簡単な説明】
【００１５】
【図１】本考案の立体分解図。
【図２】本考案の立体組合せ図。
【図３Ａ】本考案の分解ステップ図（一）。
【図３Ｂ】本考案の分解ステップ図（二）。
【図４】図３Ｂの組合せ断面図。
【図５】本考案の本体の積上げ数量が多い場合の組合せ断面図。
【図６】本考案の本体のもう一つの実施例の構成を示す図。
【図７Ａ】本考案の耳掛け凹片を組合せたステップ図（一）。
【図７Ｂ】本考案の耳掛け凹片を組合せたステップ図（二）。
【図８】図７Ｂの本体の積上げ図。
【図９】従来の弁当箱の立体形状図。
【図１０】従来の弁当箱の使用形状図。
【考案を実施するための形態】
【００１６】
本考案の目的、機能及び構造特長に対して詳しく理解できるよう、下記の実施例を記述し、図を用いて説明する。図１及び図２を参照頂きたい。本考案は積上げ可能式弁当箱の構造改良である。主に、本体１、上蓋２、下蓋３で構成されている。
【００１７】
本体１は円錐状である。四辺の片１０２より、底が狭い、開口が広い円錐状の形状になっている。これより、その中の凹溝１０１もが狭い、開口が広い円錐状の特別な構成になっている。その凹溝１０１な壁片１０２の高さが比較的高い為、その凹溝１０１は比較的深いという特長があります。また、当壁片１０２の各方面には一つの耳掛け片４が粘着固定されており、その耳掛け片４は二つの耳部４０２がある。耳部４０２は壁片１０２の上に粘着されている。耳部４０２に連結しているところには円弧孔４０３がある。そして円弧孔４０３より外部に向かって一枚の片体４０１が外部に向かって延長している。
【００１８】
上蓋２は本体１と同じ円錐状であり、本体１とは反対の向きに設けられており、上蓋２の凹溝（図示せず）の開口の大きさは広く、本体１の開口より大きい。それは上蓋２が本体１の開口と一致する為である。
【００１９】
下蓋３は本体１と同じ円錐状であり、その中の凹溝３０１も底が狭く、開口が広い構造になっている。凹溝３０１は四辺の片体の高さが比較的高い為、凹溝３０１も比較的深いという特長になっている。
【００２０】
図３Ａ及び図３Ｂを参照頂きたい。使用時、本考案が一つ以上の本体１を使用して違う食材８と区別する場合、先ずは一番低層部の下蓋３の凹溝３０１の中にご飯９を置き、必要な食材８を別々に本体１の凹溝１０１の中に置く。その後、本考案の積上げ組合せに置く。本体１の耳掛け片４の片体４０１を外側に折りあげる、或いは引張り出し、また片体４０１を別の本体１の凹体１０１の開口端部１０３に掛ける。これにより、上方の本体１がぶらさがるように下の本体１凹溝１０１の上の適切な場所（図３Ｂ或いは図４参照）に掛けられる。積上げる数量が多い本体１の場合、上述のステップを繰り返せば図５で示すように、最後は一番上の本体１の上部蓋に上蓋２をかけ、下の本体１の下にご飯９がつまれている下蓋３を組合せる。そして、テープ５を利用して、耳掛け４の部位でパッキングすれば、本考案の弁当箱の組合せが完成する。よって、本考案はご飯９と食材８を詰めるとき、強制的にご飯９を下蓋３の凹溝３０１の中だけに置けるようにし、食材８の部分は各本体１の凹溝１０１の中に詰めます。最後はテープ５でパッキングすれば、本考案の固定が完成する。
【００２１】
このほか、食事を摂る方は、テープ５を外し、上蓋２をとり、一つずつ本体１を両手の親指と人差し指で耳掛け片４の片体４０１を引けば、簡単に本体１を一つずつ分けることができる。独立したご飯９の空間がある以外、独立且つ便利に挟み取りができる食材８の本体１が構成した食材空間があり、一目瞭然に食材が見え、容易に選び取れる。
【００２２】
これより、本考案は、簡単に食材８とご飯９を分けて置くことができ、食材８のお汁を集中して本体１の凹溝１０１の中に集められ、ご飯９が食材のお汁に接触しないようにする特長がある。また、本体１は耳掛け４の片体４０１の構造があるので、本体１は容易に取り外したり、置いたりすることができる特長もある。そして、取り外しや置く過程の中でも、食事を摂る方の指が食材８に触れなくてもよく、本考案が多くの本体１を積み重ねた時は円錐状の構造が特徴となり、簡単に組合せ、そして取り外しが出来る。
【００２３】
図６を参照頂きたい。これは本考案の他の具体実施例である。当該本体６は錘状であり、四辺の壁片１０２より底が狭く、開口が広い錘状形状になっている。これより、その中の凹溝６０１も底が狭く、開口が広い構造になっている。また、その凹溝６０１は壁片６０２の高さが比較的高い為、その凹溝６０１も比較的深い特長がある。この他、当壁片６０２の側方には、各箇所に一つ出っ張って形成されている一体式の耳掛け凸片６０３がある。その耳掛け片６０３の中央部には一枚の片体６０４があり、片体６０４の両側の下には各自一つの円弧孔６０５がある。
【００２４】
図７Ａ及び図７Ｂを参照頂きたい。本考案の本体６を使用して食材８を盛り合せる前、本体６の耳掛け凸片６０３を折り曲げて、貼り付け形を作る。先ずは耳掛け凸片６０３を外側に折り曲げ、折り曲げた後の耳掛け凸片６０３の折り曲げ箇所がその他の開口端部６０６と揃うようにする。そして、壁片６０２の上に粘着します。この時、耳掛け凸片６０３の片体６０４は開いた、宙ぶらり状態となっており、壁片６０２の上に粘着固定しない。そうすることより、本体６の耳掛け片６０３を折り曲げて、接着して形をつくる。この耳掛け凸片６０３を折り曲げ、粘着して形を作る作業は加工機械でもでき、自動加工により形を作ることができる。
【００２５】
図５、図７Ｂ及び図８を参照頂きたい。使用時、一つ以上の本体６を使用して、違う食材８を区別する場合、一番下にある下蓋３の凹溝３０１の中にご飯９を置くことができる。その後は必要な食材８を分けて本体６の凹溝６０１の中に置き、本考案の積上げ組合せができる。この時、本体６の片体６０４をもう一つの本体６の凹溝６０１の開口端部６０６に掛け、片体６０４の円弧孔６０５を次の本体６の凹溝６１０１の開口端部６０６に固定する。そうすると、上方の本体６は下の本体６の凹溝６０１の上の適切な場所に掛けることができる。比較的多い本体６を積上げる場合、上記のステップを繰り返せば、第５図で示す通りの積上げた状態になる。最後には本体６の上の蓋に上蓋２をかぶせ、本体６の下にご飯が入っている９の下蓋３を取り付け、テープ５で耳掛け凸片６０３の部分をパッキングすれば、本考案のもう一つの本体６の形態の弁当箱の組合せになる。よって、本考案はご飯９と食材８を詰め合せるとき、強制的にご飯９だけを下蓋３の凹溝３０１の中に置き、食材８は分けて本体６の凹溝６０１の中に置くことができる。この時、テープ５を使用してパッキングすると、本考案の組合せを固定することができる。同じ様に、食事を摂る方は、テープ５をはずし、上蓋２を取り、各一つずつの本体６を両手の親指と人差し指で本体６両側の片体６０４を引けば、簡単に本体６を一つずつ分けることができる。これより、食事を摂る方は独立したご飯９を設けることができ、また独立した、そして摂り挟みが簡単にできる食材８と本体６で構成された食材区ができ、一目瞭然に食材を選ぶことができる。
【００２６】
これより、簡単に食材８とご飯９を分けることができる以外、食材８の汁を本体６の凹溝６０１の中に集中させることができ、ご飯９と食材８の汁が接触しなくてよいという特長を有することになる。また、片体６０４の構造より、本体６は簡単に取り外しと置くことができ、取り外しの過程でも食事を摂る方の指が食材８に触れずにすむ。これ以外にも、本考案で多くの本体６を積上げる場合、錘状の構造の特徴は組合せと容易に取り外しさせることが可能になる。
【００２７】
上記の記述を総合し、本考案の積上げ可能式弁当箱の構造改良は本考案者が精密に脳力を運用して設計したものであり、実用的な効力がある外、構造も使用も簡易化されており、組合せは早くでき、コストも低くすることができる。
【００２８】
但し、以上の記述は本考案のよい実施例であり、本考案の請求範囲を限定するものではない。よって、本考案の効果を達成できるものであれば、本考案の上述の説明の弁当箱の構造に限られず、考案の請求範囲内で他の弁当箱の構造を適用することもできる。
【符号の説明】
【００２９】
１        本体
１０１    凹溝
１０２    壁片
１０３    開口端部
２        上蓋
３        下蓋
３０１    凹溝
３０２    開口端部
４        耳掛け片
４０１    片体
４０２    耳部
４０３    円弧孔
５        テープ
６        本体
６０１    凹槽
６０２    壁片
６０３    耳掛け凸片
６０４    片体
６０５    円弧孔
６０６    開口端部
７        弁当箱
７０１    盛り合わせ区
７０２    上蓋
７０２１  平面箇所
７０２２  平体
８        食材
９        ご飯
【図１】
0003190750.tif 000003
【図２】
0003190750.tif 000004
【図３Ａ】
0003190750.tif 000005
【図３Ｂ】
0003190750.tif 000006
【図４】
0003190750.tif 000007
【図５】
0003190750.tif 000008
【図６】
0003190750.tif 000009
【図７Ａ】
0003190750.tif 000010
【図７Ｂ】
0003190750.tif 000011
【図８】
0003190750.tif 000012
【図９】
0003190750.tif 000013
【図１０】
0003190750.tif 000014
【手続補正書】
【提出日】平成26年3月14日(2014.3.14)
【手続補正１】
【補正対象書類名】実用新案登録請求の範囲
【補正対象項目名】全文
【補正方法】変更
【補正の内容】
【実用新案登録請求の範囲】
【請求項１】
本体、上蓋、下蓋からなる積上げ可能式弁当箱であって、
本体は四角錐状とされ、該四角錐状は、四辺の片より底が狭い、開口が広い形状とされ、該四角錐状の中部に形成される凹溝は、底が狭い、開口が広い四角錐状の形状とされ、該凹溝の壁片の高さが比較的高いことにより、該凹溝は比較的深くされ、該壁片の各方面には一つの耳掛け片が粘着固定され、該耳掛け片は二つの耳部を有し、該耳部は該壁片の上に粘着され、該耳部に連結している所に円弧孔が設けられ、該円弧孔は外部に向かって一枚の片体が外部に向かって延長されて設けられ、
本体の耳掛け片にある片体を外側に折り上げ、或いは広げ、該片体を下に設けたもう一つの本体の凹溝の開口端部に掛け、耳掛けの円弧孔を該もう一つ本体の凹溝の開口端部に掛け、上方の本体を下の本体の凹溝の上方にかけ、
多くの本体を積上げる時には、上記のステップを繰り返すことを特徴とする積上げ可能式弁当箱。
【請求項２】
請求項１記載の積上げ可能式弁当箱において、本体の壁片の一箇所に相対する出っ張りに一体化された形状の耳掛け凹片を有し、該耳掛け凹片の中央には一つの片体を有し、片体の両側の下に各一つの円弧孔を有することを特徴とする積上げ可能式弁当箱。
【請求項３】
請求項２記載の積上げ可能式弁当箱において、本体の耳掛け凹片を折り曲げて、貼り付け形を形成し、耳掛け凸片を外側に折り曲げ、折り曲げた後の耳掛凸片の折り曲げ箇所がその他の開口端部と揃うようにして、壁片の上に粘着し、耳掛け凸片の片体は開いた、宙ぶらり状態とされ、壁片の上に粘着固定せず、本体の耳掛け片を折り曲げて、接着して形つくることを特徴とする積上げ可能式弁当箱。
【請求項４】
請求項３記載の積上げ可能式弁当箱において、耳掛け片の折り曲げ、粘着による形つくることは、加工機械による自動加工より行うことを特徴とする積上げ可能式弁当箱。
【手続補正３】
【補正対象書類名】明細書
【補正対象項目名】０００９
【補正方法】変更
【補正の内容】
【０００９】
２．図１及び図２を参照頂きたい。本考案の本体１の構造は食材８を本体１の凹溝１０１の中に置くことができる。本体１の凹溝は開放で区別なく、且つ底が狭く、口が広い四角錐状の構造になっている為、空間が広く大きく、食材８も置きやすい。これにより、食材８を置く空間が比較的大きく、食材８を選ぶにも便利である。これより使用上の欠点を解決した。
【手続補正４】
【補正対象書類名】明細書
【補正対象項目名】００１０
【補正方法】変更
【補正の内容】
【００１０】
３．図１を参照頂きたい。本考案の本体１構造内は四片の壁片１０２を底が狭く、開口が広い四角錐状の構造としているので、凸溝１０１も底が狭く、開口が広い構造特長になっており、食材８を置く時には開口が広いので、簡単に、安定して置くことができる。また、凸溝１０１の深度は比較的深く、食材８が凹溝１０１の外に滑り落ちることが発生しない。これより使用上の欠点を解決した。
【手続補正５】
【補正対象書類名】明細書
【補正対象項目名】００１７
【補正方法】変更
【補正の内容】
【００１７】
本体１は四角錐状である。四辺の片１０２より、底が狭い、開口が広い四角錐状の形状になっている。これより、その中の凹溝１０１が狭い、開口が広い四角錐状の特別な構成になっている。その凹溝１０１の壁片１０２の高さが比較的高い為、その凹溝１０１は比較的深いという特長があります。また、当壁片１０２の各方面には一つの耳掛け片４が粘着固定されており、その耳掛け片４は二つの耳部４０２がある。耳部４０２は壁片１０２の上に粘着されている。耳部４０２に連結しているところには円弧孔４０３がある。そして円弧孔４０３より外部に向かって一枚の片体４０１が外部に向かって延長している。
【手続補正６】
【補正対象書類名】明細書
【補正対象項目名】００１８
【補正方法】変更
【補正の内容】
【００１８】
上蓋２は本体１と同じ四角錐状であり、本体１とは反対の向きに設けられており、上蓋２の凹溝（図示せず）の開口の大きさは広く、本体１の開口より大きい。それは上蓋２が本体１の開口と一致する為である。
【手続補正７】
【補正対象書類名】明細書
【補正対象項目名】００１９
【補正方法】変更
【補正の内容】
【００１９】
下蓋３は本体１と同じ四角錐状であり、その中の凹溝３０１も底が狭く、開口が広い構造になっている。凹溝３０１は四辺の片体の高さが比較的高い為、凹溝３０１も比較的深いという特長になっている。
【手続補正８】
【補正対象書類名】明細書
【補正対象項目名】００２２
【補正方法】変更
【補正の内容】
【００２２】
これより、本考案は、簡単に食材８とご飯９を分けて置くことができ、食材８のお汁を集中して本体１の凹溝１０１の中に集められ、ご飯９が食材のお汁に接触しないようにする特長がある。また、本体１は耳掛け４の片体４０１の構造があるので、本体１は容易に取り外したり、置いたりすることができる特長もある。そして、取り外しや置く過程の中でも、食事を摂る方の指が食材８に触れなくてもよく、本考案が多くの本体１を積み重ねた時は四角錐状の構造が特徴となり、簡単に組合せ、そして取り外しが出来る。